(57)【要約】 【課題】    本発明によれば、複数の携帯情報端末が放射線検出手段に対応付けられることにより、処理手段が複数の携帯情報端末を管理することができ、可搬性が向上し、対応付けの変更などの管理が容易となる。【解決手段】  本発明に係る放射線撮影システムは、前記放射線を検出する放射線検出手段と、前記放射線検出手段と対応付け可能な複数の携帯情報端末と、前記放射線検出手段により検出された放射線画像データを受信して処理し、該処理された放射線画像データを前記放射線検出手段と対応付けられた前記携帯情報端末へ送信する処理手段と、を備える。【選択図】図１
2018126328.tif 000002
【特許請求の範囲】
【請求項１】
前記放射線を検出する放射線検出手段と、
前記放射線検出手段と対応付け可能な複数の携帯情報端末と、
前記放射線検出手段により検出された放射線画像データを受信して処理し、該処理された放射線画像データを前記放射線検出手段と対応付けられた前記携帯情報端末へ送信する処理手段と、を備えることを特徴とする放射線撮影システム。
【請求項２】
前記携帯情報端末は、前記携帯情報端末と対応付け可能な前記放射線検出手段を表示し、前記携帯情報端末と対応付けられる前記放射線検出手段を選択することを特徴とする請求項１に記載の放射線撮影システム。
【請求項３】
前記放射線検出手段と対応付けられた第１の前記携帯情報端末は、前記放射線検出手段と第２の前記携帯情報端末との対応付けを制御可能であることを特徴とする請求項１又は２に記載の放射線撮影システム。
【請求項４】
前記第１の携帯情報端末は、前記放射線検出手段と前記第２の携帯情報端末との対応付けを解除可能であることを特徴とする請求項３に記載の放射線撮影システム。
【請求項５】
前記放射線検出手段による放射線画像の撮影が終了した場合、前記放射線検出手段が所定の時間操作されなかった場合、前記放射線検出手段の電源がオフになった場合、及び前記放射線検出手段のネットワーク接続が切断された場合の少なくとも１つの場合に、前記放射線検出手段と前記携帯情報端末との対応付けが解除されることを特徴とする請求項１乃至４の何れか１項に記載の放射線撮影システム。
【請求項６】
前記携帯情報端末と対応付け可能な前記放射線検出手段を管理し、前記携帯情報端末からの対応付け要求に応じて、前記放射線検出手段と前記携帯情報端末とを対応付ける命令を出力する対応付け手段を備えることを特徴とする請求項１乃至５の何れか１項に記載の放射線撮影システム。
【請求項７】
前記処理手段は、前記放射線検出手段と対応付けられた前記携帯情報端末からの画像送信要求に応じて、前記放射線検出手段により出力される放射線画像データ、前記処理手段において処理された放射線画像データ、及び前記処理手段の処理の過程で中間生成される放射線画像データの少なくとも１つを、前記携帯情報端末へ送信することを特徴とする請求項１乃至６の何れか１項に記載の放射線撮影システム。
【請求項８】
前記放射線検出手段と対応付けられた前記携帯情報端末は、過去の検査情報に基づいて、前記画像送信要求を前記処理手段へ送信することを特徴とする請求項７に記載の放射線撮影システム。
【請求項９】
該処理された放射線画像データに画像ＩＤを付与するＩＤ発行手段と、
該処理された放射線画像データに前記画像ＩＤを対応付けて管理する画像管理手段と、
を備えることを特徴とする請求項１乃至８の何れか１項に記載の放射線撮影システム。
【請求項１０】
前記携帯情報端末は、所定の画像処理のパラメータを設定し、
前記処理手段は、設定された前記パラメータに従って、前記放射線画像データに前記画像処理を施し、前記画像処理が施された前記放射線画像データを前記携帯情報端末へ送信することを特徴とする請求項９に記載の放射線撮影システム。
【請求項１１】
前記画像管理手段は、前記放射線検出手段により出力される放射線画像データ、前記処理手段において処理された放射線画像データに同一の前記画像ＩＤを対応付けて管理することを特徴とする請求項１０に記載の放射線撮影システム。
【請求項１２】
前記放射線検出手段と対応付けられた第１及び第２の前記携帯情報端末は、同一の前記放射線画像データに対して、所定の画像処理の第１及び第２のパラメータをそれぞれ設定し、
前記処理手段は、設定された第１及び第２の前記パラメータに従って、同一の前記放射線画像データに第１及び第２の前記画像処理を施し、前記第１の画像処理が施された第１の前記放射線画像データを前記第１の携帯情報端末へ送信し、前記第２の画像処理が施された第２の前記放射線画像データを前記第２の携帯情報端末へ送信することを特徴とする請求項１乃至１１の何れか１項に記載の放射線撮影システム。
【請求項１３】
前記複数の携帯情報端末は、放射線を発生させる放射線発生手段と対応付け可能であることを特徴とする請求項１乃至１２の何れか１項に記載の放射線撮影システム。
【請求項１４】
放射線を検出する放射線検出手段と対応付け可能であり、前記放射線検出手段により検出された放射線画像データを処理する処理手段から処理された放射線画像データを受信することを特徴とする携帯情報端末。
【請求項１５】
放射線を検出する放射線検出手段と複数の携帯情報端末とを対応付ける工程と、
前記放射線検出手段により検出された放射線画像データを処理手段で受信する工程と、
前記処理手段は前記放射線画像データを処理する工程と、
前記処理手段は該処理された放射線画像データを前記放射線検出手段と対応付けられた前記携帯情報端末へ送信する工程と、
を備えることを特徴とする放射線撮影方法。
【請求項１６】
コンピュータを請求項１乃至１３の何れか１項に記載の放射線撮影システムの各手段として機能させるためのプログラム。
【発明の詳細な説明】
【技術分野】
【０００１】
本発明は、放射線撮影システム、携帯情報端末、放射線撮影方法、及びプログラムに関する。
【背景技術】
【０００２】
一般的な放射線撮影装置を用いた放射線撮影システムでは、放射線撮影装置は、コンピュータなどで構成されるコンソールによる撮影制御の下で動作を行うように構成されている。放射線撮影を行う場合は、放射線発生装置、放射線撮影装置、及び制御用のコンソールの３つを常にセットにして配置する必要がある。また、制御用のコンソールは画像処理などで処理時間がかかるため、高性能のデバイスが求められる。
【０００３】
近年、使用性の向上を目指し、タブレットなど携帯情報端末を用いる構成も提案されている（例えば、特許文献１）。例えば、放射線発生装置、制御用のコンソール、及び無線アクセスポイントを回診車に搭載する。無線アクセスポイントは、放射線撮影装置、コンソール、及び携帯情報端末を無線で接続するネットワークを構築している。携帯情報端末が機能を発揮するためには、コンソールが必須となる。
【先行技術文献】
【特許文献】
【０００４】
【特許文献１】特開２０１６−３４４７０号公報
【発明の概要】
【発明が解決しようとする課題】
【０００５】
従来技術には、課題が存在する。第１の課題は、可搬性が低下することである。携帯情報端末の処理リソースの問題から、１つの携帯情報端末は１つのコンソールに付随するユニットとして使用する必要がある。このため、複数の携帯情報端末を使用する場合、それぞれの携帯情報端末に対応するコンソールの数（ユニット数）が増えることにより、可搬性が低下してしまう。
【０００６】
第２の課題は、装置の対応付けが煩雑となることである。放射線撮影装置及び携帯情報端末は各コンソールが管理するため、装置を他のコンソールで制御したい場合には、コンソールへの対応付けを変更する作業が必要になり、変更作業が煩雑となっていた。
【課題を解決するための手段】
【０００７】
本発明に係る放射線撮影システムは、前記放射線を検出する放射線検出手段と、前記放射線検出手段と対応付け可能な複数の携帯情報端末と、前記放射線検出手段により検出された放射線画像データを受信して処理し、該処理された放射線画像データを前記放射線検出手段と対応付けられた前記携帯情報端末へ送信する処理手段と、を備える。
【発明の効果】
【０００８】
本発明によれば、複数の携帯情報端末が放射線検出手段に対応付けられることにより、処理手段が複数の携帯情報端末を管理することができ、可搬性が向上し、対応付けの変更などの管理が容易となる。
【図面の簡単な説明】
【０００９】
【図１】本発明に係る第１の実施形態の放射線撮影システムの一例を示す構成図である。
【図２】中央処理装置の機能構成図の一例を示すブロック図である。
【図３】携帯情報端末に表示されるＧＵＩの一例を示す図である。
【図４】携帯情報端末と放射線撮影装置との対応付け処理の一例を示すフローチャートである。
【図５】放射線撮影装置により撮影された放射線画像が携帯情報端末に表示される処理の一例を示すフローチャートである。
【図６】本発明に係る第２の実施形態の機能構成図の一例を示すブロック図である。
【図７】携帯情報端末に表示されるＧＵＩ（過去に撮影した検査の表示選択画面）の一例を示す図である。
【図８】過去の放射線画像を再表示する処理フローの一例を示すフローチャートである。
【図９】携帯情報端末に表示されるＧＵＩ（画像処理パラメータを変更する画面）の一例を示す図である。
【図１０】画像処理パラメータを変更する処理フローの一例を示すフローチャートである。
【図１１】本発明に係る第４の実施形態に係る放射線撮影システムの構成図の一例を示すブロック図である。
【図１２】携帯情報端末に表示されるＧＵＩ（対応付ける放射線撮影装置及び放射線発生装置を選択する画面）の一例を示す図である。
【発明を実施するための形態】
【００１０】
以下、添付図面を参照して本発明の好適な実施形態を説明する。なお、以下の実施形態は特許請求の範囲に係る発明を限定するものでない。また、本実施形態で説明されている特徴の組み合わせの全てが発明の解決部に必須のものとは限らない。
【００１１】
（第１の実施形態）
図１は、本発明に係る第１の実施形態の放射線撮影システムの一例を示す構成図である。
【００１２】
図１に示すように、放射線を発生させる放射線発生部１０１、放射線を検出する放射線撮影装置（放射線検出部）１０２、及び携帯情報端末１０４は、無線アクセスポイント１０５を介して、ネットワーク２０１に接続されている。複数の携帯情報端末１０４−１,１０４−２は、放射線撮影装置（放射線検出部）１０２−２と対応付け可能である。
【００１３】
中央処理装置（処理部）２０２は、ネットワーク２０１に接続され、放射線撮影装置１０２から送られてきた放射線画像を画像処理し、対応付けられた携帯情報端末１０４へ放射線画像を送信する。中央処理装置２０２は、放射線撮影装置１０２により検出された放射線画像データを受信して処理し、処理された放射線画像データを、放射線撮影装置１０２と対応付けられた携帯情報端末１０４へ送信する。
【００１４】
携帯情報端末１０４は、放射線を検出する放射線撮影装置１０２と対応付け可能であり、放射線撮影装置１０２により検出された放射線画像データを処理する中央処理装置２０２から、処理された放射線画像データを受信する。
【００１５】
また、ネットワーク２０１には、ＲＩＳ（Ｒａｄｉｏｌｏｇｙ Ｉｎｆｏｒｍａｔｉｏｎ Ｓｙｓｔｅｍｓ）２０３及びＰＡＣＳ（Ｐｉｃｔｕｒｅ Ａｒｃｈｉｖｉｎｇ ａｎｄ Ｃｏｍｍｕｎｉｃａｔｉｏｎ Ｓｙｓｔｅｍｓ）２０４が接続され、ＲＩＳ２０３及びＰＡＣＳ２０４とデータを送受信可能となっている。
【００１６】
図１は、病室２０５に回診して撮影を行う場合、一般撮影室２０６での撮影を行う場合のそれぞれの構成を図示しているが、本発明の適用はこれらに限定されない。また、各装置を接続するネットワーク２０１は、院内ネットワークに限らず、中央処理装置２０２、ＲＩＳ２０３、及びＰＡＣＳ２０４は、外部のクラウドサービスに接続されてもよい。
【００１７】
図２は、中央処理装置２０２の機能構成図の一例を示すブロック図である。画像受信部３０１は、放射線撮影装置１０２−１，１０２−２から送られてくる放射線画像を受信し、画像処理部３０２へ出力する。画像処理部３０２は、放射線画像に画像処理を施し、処理画像を画像送信部３０３へ出力する。
【００１８】
画像送信部３０３は、対応付け管理部（対応付け部）３０４に予め記憶されている放射線撮影装置１０２と携帯情報端末１０４との対応付けから、放射線画像の送信元（放射線撮影装置１０２）に対応付けられた送信先である携帯情報端末１０４を特定する。画像送信部３０３は、対応付けられた携帯情報端末１０４へ処理画像を送信する。
【００１９】
図３は、携帯情報端末１０４に表示されるＧＵＩの一例を示す図である。このＧＵＩは、携帯情報端末１０４に対応付けられる放射線撮影装置１０２を選択するＧＵＩである。携帯情報端末１０４は、携帯情報端末１０４と対応付け可能な放射線撮影装置１０２を表示し、携帯情報端末１０４と対応付けられる放射線撮影装置１０２を選択する。
【００２０】
ネットワーク２０１に接続されている放射線撮影装置１０２は、接続可能な放射線撮影装置リスト４０１に表示される。放射線撮影装置リスト４０１の各放射線撮影装置の項目には、「使用中」又は「使用可」といったステータスが表示される。接続ボタン４０２を押下することで、携帯情報端末１０４と放射線撮影装置１０２の対応付けが行われる。
【００２１】
他の放射線撮影装置に変更したい場合は、再度このＧＵＩ画面を開き、希望の放射線撮影装置１０２を選択すればよい。
【００２２】
図４は、携帯情報端末１０４と放射線撮影装置１０２との対応付け処理の一例を示すフローチャートである。
【００２３】
携帯情報端末１０４は、通信可能な放射線撮影装置１０２の情報を、中央処理装置２０２へ要求する（ステップＳ５０１）。要求に応じて、中央処理装置２０２は、ネットワーク２０１に接続されている放射線撮影装置１０２の情報を携帯情報端末１０４へ通知する（ステップＳ５０２）。携帯情報端末１０４は、接続可能な放射線撮影装置リスト４０１を表示する。操作者は、放射線撮影装置リスト４０１のうち、ステータスが「使用可」となっている放射線撮影装置１０２の中から、携帯情報端末１０４に対応付ける放射線撮影装置１０２を選択する（ステップＳ５０３）。
【００２４】
放射線撮影装置１０２が選択されると、携帯情報端末１０４は、選択された放射線撮影装置１０２との対応付けの要求を、中央処理装置２０２へ行う（ステップＳ５０４）。要求に応じて、対応付け管理部３０４は、選択された放射線撮影装置１０２と携帯情報端末１０４とを対応付け、管理する（ステップＳ５０５）。対応付け管理部３０４は、携帯情報端末１０４と対応付け可能な放射線撮影装置１０２を管理し、携帯情報端末１０４からの対応付け要求に応じて、放射線撮影装置１０２と携帯情報端末１０４とを対応付ける。
【００２５】
対応付けを実施したことを、放射線撮影装置１０２へと通知する（ステップＳ５０６）。放射線撮影装置１０２は、放射線画像を送信する先として、中央処理装置２０２のアドレスを設定する（ステップＳ５０７）。中央処理装置２０２は、携帯情報端末１０４へ処理の完了を通知する（ステップＳ５０８）。以上により、携帯情報端末１０４と放射線撮影装置１０２との接続が確立する。
【００２６】
本実施形態では、「使用可」の放射線撮影装置１０２が選択される。ただし、携帯情報端末１０４により、「使用中」の放射線撮影装置１０２が選択されることで、「使用中」の放射線撮影装置１０２の使用権が獲得され、携帯情報端末１０４に対応付けられるシステムであってもよい。この場合、使用権を獲得するために、使用権獲得の要求を中央処理装置２０２から放射線撮影装置１０２へ問い合わせてもよい。
【００２７】
また、放射線撮影装置１０２による放射線画像の撮影が終了した場合、放射線撮影装置１０２と携帯情報端末１０４との対応付けが解除され、放射線撮影装置１０２のステータスが「使用中」から「使用可」に変更されてもよい。また、放射線撮影装置１０２が所定の時間操作されなかった場合、放射線撮影装置１０２と携帯情報端末１０４との対応付けが解除され、放射線撮影装置１０２のステータスが「使用中」から「使用可」に変更されてもよい。
【００２８】
また、放射線撮影装置１０２の電源がオフになった場合、放射線撮影装置１０２と携帯情報端末１０４との対応付けが解除され、放射線撮影装置１０２のステータスが「使用中」から「使用可」に変更されてもよい。また、放射線撮影装置１０２とネットワーク２０１との接続が切断された場合、放射線撮影装置１０２と携帯情報端末１０４との対応付けが解除され、放射線撮影装置１０２のステータスが「使用中」から「使用可」に変更されてもよい。
【００２９】
また、携帯情報端末１０４の操作により、放射線撮影装置１０２と携帯情報端末１０４との対応付けが強制的に解除され、放射線撮影装置１０２のステータスが「使用中」から「使用可」に変更されてもよい。
【００３０】
このように、放射線撮影装置１０２による放射線画像の撮影が終了した場合、放射線撮影装置１０２が所定の時間操作されなかった場合、放射線撮影装置１０２の電源がオフになった場合、及び放射線撮影装置１０２のネットワーク接続が切断された場合の少なくとも１つの場合に、放射線撮影装置１０２と携帯情報端末１０４との対応付けが解除される。
【００３１】
従来では、複数の携帯情報端末が同一の放射線撮影装置に対応付けられることはなかったが、本実施形態では、複数の携帯情報端末１０４が同一の放射線撮影装置１０２に対応付けられ、１つのユニットとして動作する。例えば、図１に示すように、複数の携帯情報端末１０４−１，１０４−２が、同一の放射線撮影装置１０２−２に対応付けられる。また、本実施形態では、複数の携帯情報端末１０４のうち、第１の携帯情報端末１０４−１が、第２の携帯情報端末１０４−２の放射線撮影装置１０２との対応付けを制御することができる。
【００３２】
放射線検出手段と対応付けられた第１の携帯情報端末１０４−１は、放射線撮影装置１０２と第２の携帯情報端末１０４−２との対応付けを制御可能である。例えば、第１の携帯情報端末１０４−１は、放射線撮影装置１０２と第２の携帯情報端末１０４−２との対応付けを解除可能である。
【００３３】
図５は、対応付け完了後、放射線撮影装置１０２により撮影された放射線画像が携帯情報端末１０４に表示される処理の一例を示すフローチャートである。
【００３４】
操作者は、患者名や部位や撮影方向などの撮影情報を携帯情報端末１０４に入力して検査を開始する（ステップＳ６０１）。携帯情報端末１０４は、入力された撮影情報とともに、検査開始を中央処理装置２０２へ通知する（ステップＳ６０２）。中央処理装置２０２は、撮影開始を放射線撮影装置１０２へ通知する（ステップ６０３）。撮影開始を受けた放射線撮影装置１０２は、撮影可能な状態へ遷移し、放射線照射の待機状態となる（ステップＳ６０４）。
【００３５】
放射線が照射されると、放射線撮影装置１０２は、放射線画像を生成する（ステップＳ６０５）。生成された放射線画像は、画像送信先として設定されている中央処理装置２０２へと送信される（ステップＳ６０６）。中央処理装置２０２は、受信した放射線画像に対し、ステップＳ６０２で通知された撮影情報を基に、適切な画像処理を実施する（ステップＳ６０７）。中央処理装置２０２は、放射線画像を送信した放射線撮影装置１０２に対応付けられた携帯情報端末１０４の情報を、対応付け管理部３０４から取得する（ステップＳ６０８）。
【００３６】
中央処理装置２０２は、携帯情報端末１０４の情報を基に、画像処理を実施した処理済みの放射線画像を、携帯情報端末１０４へ送信する（ステップＳ６０９）。携帯情報端末１０４は、処理済みの放射線画像を受信し、表示する（ステップＳ６１０）。
【００３７】
このように、中央処理装置２０２は、放射線撮影装置１０２と対応付けられた携帯情報端末１０４からの画像送信要求に応じて、放射線撮影装置１０２により出力される放射線画像に所定の画像処理が施された処理済み放射線画像を携帯情報端末１０４へ送信する。つまり、中央処理装置２０２は、中央処理装置２０２において処理された放射線画像データを携帯情報端末１０４へ送信する。
【００３８】
また、中央処理装置２０２は、放射線検出装置１０２と対応付けられた携帯情報端末１０４からの画像送信要求に応じて、放射線検出装置１０２により出力される放射線画像データ、又は中央処理装置２０２の処理の過程で中間生成される放射線画像データを携帯情報端末１０４へ送信してもよい。
【００３９】
本実施形態では、複数の携帯情報端末１０４が同一の放射線撮影装置１０２に対応付けられ、１つのユニットとして動作する。中央処理装置２０２は、ステップＳ６０８で取得された携帯情報端末１０４の情報を基に、各携帯情報端末１０４へデータを振り分けることが可能である。
【００４０】
本実施形態では、中央処理装置２０２が対応付け管理部３０４を備えるが、これに限らず、放射線撮影装置１０２が対応付け管理部３０４を備え、放射線撮影装置１０２に対応付けられた携帯情報端末１０４を把握し、管理してもよい。対応付け管理部３０４は、携帯情報端末１０４と対応付け可能な放射線撮影装置１０２を管理し、携帯情報端末１０４からの対応付け要求に応じて、放射線撮影装置１０２と携帯情報端末１０４とを対応付ける命令を出力する。
【００４１】
この場合、放射線撮影装置１０２は、対応付けられた携帯情報端末１０４のアドレス（情報）を付加情報として、放射線画像とともに中央処理装置２０２へ送信し、ステップＳ６０９の送信先である携帯情報端末１０４の情報を、中央処理装置２０２へ通知する。
【００４２】
また、携帯情報端末１０４は、複数の放射線撮影装置１０２に対応付けられてもよい。例えば、同じ被検体に対する検査において、サイズが異なる複数の放射線撮影装置を取り換えて用いる場合や複数の放射線撮影装置を並べて用いる場合など、複数の放射線撮影装置１０２が携帯情報端末１０４に対応付けられる。複数の放射線撮影装置を並べて用いる場合、中央処理装置２０２が、複数の放射線撮影装置１０２により撮影された放射線画像を合成処理し、複数の放射線撮影装置１０２に対応付けられた携帯情報端末１０４へ合成処理済みの放射線画像を送信してもよい。
【００４３】
（第２の実施形態）
第１の実施形態では、放射線画像の撮影時に、携帯情報端末１０４が放射線画像を表示する場合を説明したが、第２の実施形態では、携帯情報端末１０４が、過去に撮影された放射線画像を再表示するケースについて説明する。
【００４４】
図６は、第２の実施形態の機能構成図の一例を示すブロック図である。ＩＤ発行部７０１は、放射線画像に画像ＩＤを発行する。ＩＤ発行部７０１は、放射線撮影装置１０２により検出された放射線画像データ又は処理された放射線画像データに画像ＩＤを付与する。画像管理部７０２は、受信した放射線画像と画像ＩＤとを対応付けて、保存管理を行う。画像管理部７０２は、放射線画像データ又は処理された放射線画像データに画像ＩＤを対応付けて管理する。また、検査管理部７０３は、患者情報などの検査情報と画像ＩＤとを対応付けて管理を行う。
【００４５】
画像管理部７０２で管理される放射線画像は、放射線撮影装置１０２により出力される放射線画像に限定されず、所定の画像処理が施された処理済みの放射線画像でもよいし、画像処理に複数の工程がある場合にはその中間放射線画像でもよい。また、画像管理部７０２は、放射線撮影装置１０２により出力される放射線画像、放射線画像に所定の画像処理が施された処理済み放射線画像、及び画像処理の過程で中間生成される放射線画像の一連の放射線画像のうち、複数の放射線画像を管理してもよい。
【００４６】
この場合、一連の放射線画像は、同一の画像ＩＤで管理される。画像管理部７０２は、放射線撮影装置１０２により出力される放射線画像、放射線画像に所定の画像処理が施された処理済み放射線画像、及び画像処理の過程で中間生成される放射線画像に同一の画像ＩＤを対応付けて管理する。
【００４７】
図７は、携帯情報端末１０４に表示されるＧＵＩ（過去に撮影した検査の表示選択画面）の一例を示す図である。
【００４８】
検査タブ８０１では、過去の検査を選択することで完了済みの検査を選択するＧＵＩが表示される。検索フィルタ８０２では、文字列の入力や選択肢の選択により、過去検査リスト８０３に表示される検査を絞り込むことができる。過去検査リスト８０３から検査を選択すると、過去の検査で撮影された放射線画像のサムネイルが、サムネイルリスト８０４で表示される。サムネイルリスト８０４から画像が選択され、表示ボタン８０５が押下されることで、撮影済みの放射線画像の再表示が開始される。
【００４９】
図７では、サムネイルリスト８０４から放射線画像を選んで表示するＧＵＩを示したが、これに限らず、１つの検査を選択することで、例えば当該検査で最初に撮影された放射線画像が表示されてもよい。
【００５０】
図８は、過去の放射線画像を再表示する処理フローの一例を示すフローチャートである。検査タブ８０１から過去検査が選択されると、携帯情報端末１０４は、過去に実施した検査の情報を中央処理装置２０２へ要求する（ステップＳ９０１）。中央処理装置２０２は、要求の条件に合致する検査に付随する検査情報（例えば、患者情報など）やサムネイル画像を、検査管理部７０３から取得し、携帯情報端末１０４へ送信する（ステップＳ９０２）。
【００５１】
携帯情報端末１０４は、検査情報を過去検査リスト８０３において表示する。操作者は、閲覧したい検査を選択し、サムネイルリスト８０４から閲覧したい画像を選択し、表示ボタン８０５を押下する（ステップＳ９０３）。携帯情報端末１０４は、選択されたサムネイルに対応付けられた画像ＩＤに基づいて、再表示用の処理済みの放射線画像を中央処理装置２０２へ要求する（ステップＳ９０４）。このように、放射線撮影装置１０２と対応付けられた携帯情報端末１０４は、過去の検査情報に基づいて、画像送信要求を中央処理装置２０２へ送信する。
【００５２】
要求に応じて、中央処理装置２０２は、指定された画像ＩＤの放射線画像を、画像管理部７０２から取得する（ステップＳ９０５）。中央処理装置２０２は、放射線画像に検査情報として保存された画像処理パラメータに基づいて、画像処理を再度実施し、処理済みの放射線画像を生成する（ステップＳ９０６）。中央処理装置２０２は、処理済みの放射線画像を携帯情報端末１０４へ送信する（S９０７）。中央処理装置２０２は、検査情報として設定されたパラメータに従って、放射線画像データに画像処理を施し、画像処理が施された放射線画像データを携帯情報端末１０４へ送信する。
【００５３】
携帯情報端末１０４で、受信した処理済みの放射線画像を表示する（ステップＳ９０８）。
【００５４】
画像管理部７０２が、放射線撮影装置１０２により出力される放射線画像、処理済み放射線画像、及び中間生成される放射線画像の一連の放射線画像を管理している場合は、処理リソースを低減できるように、画像処理が選択されてもよい。
【００５５】
また、ステップＳ９０２では、検査情報とともに放射線画像のサムネイルが、携帯情報端末１０４へ送信される。ただし、サムネイルの取得が、携帯情報端末１０４のパフォーマンスを著しく妨げる場合には、過去検査リスト８０３において検査が選択された段階で、選択された過去検査のサムネイルを中央処理装置２０２に別途要求してもよい。
【００５６】
（第３の実施形態）
第３の実施形態では、第１及び第２の実施形態の後に、操作者により、携帯情報端末１０４が画像処理のパラメータを変更する場合を示す。画像処理のパラメータとしては、例えば、輝度、コントラスト、ノイズ低減、グレースケール、及びウィンドウ調整などに関するパラメータがある。
【００５７】
図９は、携帯情報端末１０４に表示されるＧＵＩ（画像処理パラメータを変更する画面）の一例を示す図である。パラメータボタン１００１が押下されると、パラメータコントローラ１００２が表示される画面構成となっている。
【００５８】
図９では、画像の表示領域を可能な限り広く確保するため、パラメータコントローラ１００２がポップアップで表示される。ただし、画像処理パラメータの調整のために、パラメータコントローラ１００２の画面領域を別途確保してもよいし、パラメータの調整方法も、スライドバー以外の方式が用いられてもよい。
【００５９】
図１０は、画像処理パラメータを変更する処理フローの一例を示すフローチャートである。図１０の処理フローでは、放射線撮影装置１０２により出力される放射線画像及び中間生成される放射線画像が、画像管理部７０２により管理されており、パラメータ変更は、放射線画像に画像処理を施すための変更可能なパラメータ値である。
【００６０】
操作者が、パラメータコントローラ１００２を使用してパラメータ値の変更を行う(ステップＳ１１０１）。携帯情報端末１０４は、画像ＩＤにより特定される放射線画像データに対して、所定の画像処理のパラメータを設定する。携帯情報端末１０４は、変更されたパラメータ値を画像ＩＤとともに中央処理装置２０２へ通知し、パラメータ変更の要求を行う（ステップＳ１１０２）。
【００６１】
要求を受信した中央処理装置２０２は、パラメータの変更内容に基づいて、画像処理される一連の放射線画像の何れを処理すべきかを判断し、指定された画像ＩＤの放射線画像を、画像管理部７０２から取得する（ステップＳ１１０３）。画像管理部７０２は、放射線撮影装置１０２により出力される放射線画像、中央処理装置２０２において処理された処理済み放射線画像、及び画像処理の過程で中間生成される中間放射線画像に同一の画像ＩＤを対応付けて管理する。
【００６２】
例えば、中間生成される放射線画像の処理時間が、放射線撮影装置１０２により出力される放射線画像の処理時間より短い場合は、中間生成される放射線画像を処理するように判断される。中央処理装置２０２は、パラメータに従って、放射線撮影装置１０２により出力される放射線画像、処理済み放射線画像、及び中間放射線画像の少なくとも１つに画像処理を施し、画像処理が施された放射線画像を携帯情報端末１０４へ送信する。
【００６３】
中央処理装置２０２は、放射線画像に検査情報として保存されている画像処理パラメータに基づいて、画像処理を再度実施し、処理済みの画像を生成する（ステップＳ１１０４）。中央処理装置２０２は、処理済みの放射線画像を、携帯情報端末１０４へ送信する（ステップＳ１１０５）。中央処理装置２０２は、携帯情報端末１０４により設定されたパラメータに従って、放射線画像データに画像処理を施し、画像処理が施された放射線画像データを携帯情報端末１０４へ送信する。携帯情報端末１０４は、受信した処理済みの放射線画像を表示する（ステップＳ１１０６）。
【００６４】
（第４の実施形態）
第４の実施形態では、１つの放射線画像を複数の携帯情報端末で表示する実施形態について説明する。
【００６５】
図１１は、第４の実施形態に係る放射線撮影システムの構成図の一例を示すブロック図である。図１１では、放射線撮影装置１０２は、第１の携帯情報端末１０４−１と第２の携帯情報端末１０４−２とにそれぞれ対応付けられている。また、放射線撮影装置１０２は、撮影を実施した状況である。
【００６６】
携帯情報端末１０４−１，１０４−２のそれぞれが、同一の放射線画像に対して、画像処理パラメータ値の変更を実施することが可能である。画像処理パラメータ値の変更は、第３の実施形態と同様である。放射線撮影装置１０２―２と対応付けられた第１の携帯情報端末１０４−１及び第２の携帯情報端末１０４−２は、同一の放射線画像データに対して、所定の画像処理の第１のパラメータ及び第２のパラメータをそれぞれ設定する。
【００６７】
中央処理装置２０２は、設定された第１及び第２のパラメータに従って、同一の放射線画像データに第１及び第２の画像処理を施す。中央処理装置２０２は、第１の画像処理が施された第１の放射線画像データを第１の携帯情報端末１０４−１へ送信し、第２の画像処理が施された第２の放射線画像データを第２の携帯情報端末１０４−２へ送信する。
【００６８】
例えば、携帯情報端末１０４−１，１０４−２のそれぞれから異なる画像処理パラメータが入力され、各パラメータ値に基づいて、同一の放射線画像に画像処理が施され、処理済みの放射線画像がそれぞれ携帯情報端末１０４−１，１０４−２に表示される。
【００６９】
（第５の実施形態）
第１から第４までの実施形態では、対応付け管理部３０４が、携帯情報端末１０４と放射線撮影装置１０２との対応付けを行う。第５の実施形態では、対応付け管理部３０４が、さらに放射線発生装置１０１と放射線撮影装置１０２との対応付けを行うことができる実施形態について説明する。複数の携帯情報端末１０４−１，１０４−２は、放射線発生装置１０１と対応付け可能である。
【００７０】
図１２は、携帯情報端末１０４に表示されるＧＵＩ（対応付ける放射線撮影装置１０２及び放射線発生装置１０１を選択する画面）の一例を示す図である。図１２では、携帯情報端末１０４は、図４で示した放射線撮影装置リスト４０１に加えて、通信可能な放射線発生装置リスト１３０１を表示する。携帯情報端末１０４は、放射線撮影装置リスト４０１及び放射線発生装置リスト１３０１から、放射線撮影装置１０２及び放射線発生装置１０１のそれぞれを選択する。これにより、放射線発生装置１０１、放射線撮影装置１０２、及び携帯情報端末１０４が対応付けられ、１つのユニットとして動作する。
【００７１】
本実施形態では、携帯情報端末１０４は、放射線撮影装置１０２の撮影後に、放射線発生装置１０１が放射線を照射した際の管電圧や管電流などの撮影実施情報を受信してもよい。また、携帯情報端末１０４が、放射線発生装置１０１を操作するＧＵＩを備え、撮影実施情報の変更を行ってもよい。また、携帯情報端末１０４が、放射線の照射開始を命令するボタンを備え、携帯情報端末１０４のＧＵＩ上から放射線の照射を可能にしてもよい。
【００７２】
以上、本発明に係る実施形態について説明したが、本発明はこれらに限定されるものではなく、請求項に記載された範囲内において変更・変形することが可能である。
【００７３】
本発明は、上記の実施形態の機能を実現するソフトウェア（プログラム）をネットワーク又は各種記憶媒体を介してシステム又は装置に供給し、システム又は装置のコンピュータ（ＣＰＵやＭＰＵなど）がプログラムを読み出すことにより実行されてもよい。また、本発明は、システム又は装置のコンピュータにおける１つ以上のプロセッサーがプログラムを読出し実行する処理でも実現可能であり、１以上の機能を実現する回路（例えば、ＡＳＩＣ）によっても実現可能である。
【符号の説明】
【００７４】
１０１  放射線発生装置
１０２  放射線撮影装置（放射線検出部）
１０４  携帯情報端末
１０５  無線アクセスポイント
２０１  ネットワーク
２０２  中央処理装置（処理部）
２０３  ＲＩＳ
２０４  ＰＡＣＳ
３０１  画像受信部
３０２  画像処理部
３０３  画像送信部
３０４  対応付け管理部
７０１  ＩＤ発行部
７０２  画像管理部
７０３  検査管理部
【図１】
2018126328.tif 000003
【図２】
2018126328.tif 000004
【図３】
2018126328.tif 000005
【図４】
2018126328.tif 000006
【図５】
2018126328.tif 000007
【図６】
2018126328.tif 000008
【図７】
2018126328.tif 000009
【図８】
2018126328.tif 000010
【図９】
2018126328.tif 000011
【図１０】
2018126328.tif 000012
【図１１】
2018126328.tif 000013
【図１２】
2018126328.tif 000014